(57)【特許請求の範囲】
【請求項１】
高透水性材料からなり、地下水の移動が自在であり、干潮時における岸によって沖との境界が画される人工干潟であって、
低透水性材料からなり、干潮時における地下水の移動を遅延させるために適宜間隔で千鳥状に打設してなる複数の柱状の領域部分を含むことを特徴とする、
人工干潟。
【請求項２】
高透水性材料からなり、地下水の移動が自在であり、干潮時における岸によって沖との境界が画される人工干潟であって、
低透水性材料からなり、干潮時における地下水の移動を遅延させるために、岸沖方向および岸方向に間隔をあけて打設してなる複数の柱状の領域部分を含み、
前記柱状の領域部分同士の間隔が、岸側と沖側とで異なっていることを特徴とする、
人工干潟。
【発明の詳細な説明】
【０００１】
【発明の属する技術分野】
本発明は、埋め立て地の沖側や埋め立てで陸地に取り残された海岸の一部などに、人工的に造られる人工干潟に関する。
【従来の技術】
河口域や湾の奥分の”潮目帯”には川から流れ出た砂泥が堆積し広く平坦な砂泥地ができる。干潟(tidal flat)とはこのような場所が干潮時海面上に姿を現したものを指す。その成因から干潟の砂泥は豊富な栄養塩類や有機物を含んでいる。それにもかかわらず干潮時には、毎日二回は空気中にさらされるため酸素が十分に供給され、生物にとって好適な環境を作っている。
【０００２】
干潟には，ゴカイ類、二枚貝類などが、きわめて豊富に住み着き、コメツキガニなどのスナガニ類も多い。これらの底生生物たちを餌とする鳥類（チドリ、シギ、サギなど）も多く訪れるため鳥の観察には絶好の場所を提供している。
【０００３】
また干潟は、アサリ、バカガイ、シオフキガイなどの貝を求めて、潮干狩りに利用されている。満潮時は冠水するが、この時は底生生物を餌とする多くの魚類が集まり、藻場と同じように、浅海で最も重要な幼稚魚の成育場にもなっている。
【０００４】
一方、その立地条件などから、干潟は埋め立て地の対象となりやすく、１９６０年代後半の高度成長時代に、工場立地のためなどによって次々と干潟が埋め立てられた結果、多くの自然干潟が消失している。
【０００５】
そのため、反公害や自然保護などの住民運動も主張されるようになり、これらの住民の要求と埋め立て計画の妥協策として、従来から、自治体などによって、埋め立て地の沖側や埋め立てで陸地に取り残された海岸の一部に、自然干潟の代償措置として人工干潟が造成されるようになった。
【０００６】
また、このような人工干潟によれば、自然干潟の代償措置としての役割を果たすのみならず、住民等に貴重な自然とのふれあいの場を提供する役割を果たすことにもなる。
【０００７】
ところで、周辺の浅場も含めた干潟全体の生態系を維持するためには、干潮時において干潟全体に亘って地下水により湿潤状態が維持される程度に自然環境を再現することが必要となり、そのためには、高透水性材料を使って埋め立てることにより、干潟全体に亘って保湿性を十分に高めておくことが重要である。
【０００８】
【発明が解決しようとする課題】
しかしながら、従来からの人工干潟では、自然干潟の代償措置としての性質上、狭い範囲で下り急勾配に形成される海岸上に埋め立てることを余儀なくされ、岸沖方向の長さ寸法が非常に短くなってしまうため、干潮時において地下水が急速に抜け出る欠点が露呈されてしまい、干潟全体に亘って保湿性を高めることが非常に困難な状況となっていた。
【０００９】
ここで、干潮時における地下水の岸沖方向における移動を遅延させるような領域部分としての連続地中壁を設置するだけでは、干潟全体に亘って単に保湿性が高められるに止まり、地下水交換を十分に促進できないので、実質的に自然干潟に近い湿潤環境が得られないこととなってしまう。
【００１０】
そこで、本発明は、このような事情に鑑み、干潟全体に亘って地下水交換を十分に促進しながら保湿性を高めることが容易に可能となり、もって自然干潟に近い湿潤環境が得られるような人工干潟を提供することにある。
【００１１】
【課題を解決するための手段】
すなわち、請求項１に係る人工干潟は、高透水性材料からなり、地下水の移動が自在であり、干潮時における岸によって沖との境界が画される人工干潟であって、低透水性材料からなり、干潮時における地下水の移動を遅延させるために適宜間隔で千鳥状に打設してなる複数の柱状の領域部分を含むことを特徴としている。
【００１２】
かかる人工干潟によれば、前記したような領域部分を含むので、干潟全体に亘って地下水交換を十分に促進しながら保湿性を高めることが容易にでき、これにより、自然干潟に近い湿潤環境が得られる。
【００１３】
また、請求項２に係る人工干潟は、高透水性材料からなり、地下水の移動が自在であり、干潮時における岸によって沖との境界が画される人工干潟であって、低透水性材料からなり、干潮時における地下水の移動を遅延させるために、岸沖方向および岸方向に間隔をあけて打設してなる複数の柱状の領域部分を含み、前記柱状の領域部分同士の間隔が、岸側と沖側とで異なっていることを特徴としている。
【００１８】
かかる人工干潟によれば、壁状に形成してなる部分以外の技術的な手段によって、干潟全体に亘って保湿性を高める効果をさらに確実に獲得することが可能となる。
【００１９】
【発明の実施の形態】
以下、添付図面を参照しつつ、本発明の実施の形態について詳細に説明する。なお、説明において、同一要素には同一の符号を用い、重複する説明を省略するものとする。
【００２０】
＜実施の形態１＞
図１は本発明の実施の形態１に係る人工干潟の全体構成を示す斜視図、図２は該人工干潟の部分構成を示す斜視図である。
【００２１】
なお、図１において、符号３１は、満潮時水位、符号３２は、干潮時水位、を示している。
【００２２】
この実施の形態１において、人工干潟は、生物にとって好適な環境を提供する自然干潟の代償措置としての役割を果たすとともに、貴重な自然とのふれあいの場を公衆に提供する役割をも果たすものである。
【００２３】
具体的には、この人工干潟は、これらの図に示すように、砂などの高透水性材料１からなり、地下水の移動が自在であり、干潮時における岸２によって沖３との境界が画されるものである。
【００２４】
ここで、人工干潟を高透水性材料１からなることとした理由は、地下水の移動が自在である干潟として構成することにより、干潟内の地下水の交換が促進される必要があるからであり、これにより、生物（特に底生生物）にとって好適な環境を維持することが可能となっている。
【００２５】
そして、この人工干潟は、これらの図に示すような領域部分１１を含むものとして構成されている。
【００２６】
具体的には、この領域部分１１は、低透水性材料１１ａからなり、干潮時における岸沖方向を沖３に向かってされる地下水（図示外、以下同じ）の移動を遅延させる役割を果たすものとして構成されている。
【００２７】
ここで、このような低透水性材料１１ａとしては、干潮時において岸沖方向を沖３に向かってされる地下水の移動を遅延させ得るものであれば良く、天然材料であるか人工材料であるかの区別などは問わない。
【００２８】
それゆえ、例えば粘性土、セメント混合土、石灰混合土、ベントナイト混合土、ポーラスコンクリート、不織布等のシート状の工業製品などから、設計条件や施工条件などに応じて、適宜選定して差し支えない。
【００２９】
この実施の形態１における領域部分１１は、略全体に亘って岸方向が地下水交換を促進し得る高透水性方向となり、かつ、岸沖方向が保湿性を維持し得る低透水性方向となるよう配置されている。
【００３０】
そして、この領域部分１１は、岸２方向に沿って壁状に形成してなる部分からなるものとして構成されている。
【００３１】
具体的には、このような壁状に形成してなる部分としては、これらの図に示すように、岸方向に沿って形成される連続地中壁が採用されている。
【００３２】
このような領域部分１１によれば、干潮時において岸沖方向を沖３に向かってされる地下水の移動を制御することができ、干潟全体に亘って地下水交換を十分に促進しながら保湿性を高める効果を確実に獲得することが可能となっている。
【００３３】
しかも、このような壁状に形成してなる部分たる連続地中壁としては、図１に示すように、さらに、岸沖方向に適宜間隔で列状に配設されるものとして構成されている。
また、列ごとに低透水性材料１１ａを選定し、地下水の移動を制御するように構成してもよい。例えば岸側は低透水性材料１１ａの中でも透水性が低いものを選定し、沖側は低透水性材料１１ａの中でも透水性が高いもの等を選定する。
【００３４】
このような壁状に形成してなる部分によれば、干潟全体に亘って万遍なく保湿性を高めることができ、生物にとってさらに好適な環境を提供することが可能となっている。
【００３５】
したがって、この実施の形態１における人工干潟によれば、前記したような領域部分１１を含むものとして構成されているので、干潮時において、岸方向に沿って干潟内の地下水の交換を十分に促進しながら、岸沖方向を沖３に向かってされる地下水の移動を遅延させることが可能となっている。
【００３６】
それゆえ、このような人工干潟によれば、干潟全体に亘って地下水の交換を十分に促進しながら保湿性を高めることが容易にでき、その結果、干潟の乾燥防止を通じて自然干潟に近い湿潤環境が得られる。
【００３７】
＜実施の形態２＞
図３は本発明の実施の形態２に係る人工干潟の全体構成を示す斜視図、図４は該人工干潟の部分構成を示す斜視図である。
【００３８】
なお、図３において、符号３１は、満潮時水位、符号３２は、干潮時水位、を示している。
【００３９】
この実施の形態２に係る人工干潟の基本的な構成は、これらの図に示すように、実施の形態１と略同様であるが、実施の形態１と異なり、低透水性材料２１ａからなり、干潮時における岸沖方向を沖３に向かってされる地下水の移動を遅延させる領域部分２１が適宜間隔で柱状に打設してなる部分からなるものとして構成されている。
【００４０】
具体的には、このような柱状に打設してなる部分としては、これらの図に示すように、深層混合処理工法を用いて適宜間隔で造成された柱状のセメント混合土が採用されている。
なお、柱状のセメント混合土に代えて、杭等を打ち込んでもよい。
また、柱状に打設してなる部分の間隔もすべて同一とせず、地下水の移動が制御できるように選定してもよい。例えば岸側は間隔を狭く、沖側は間隔を広くする等である。
【００４１】
ここで、この実施の形態２における領域部分２１である柱状のセメント混合土は、実施の形態１における領域部分１１である連続地中壁と比較して、透水性の制御機能は劣っているが、施工の簡便性が優れており、両者には、これらの面で相違が認められる。
【００４２】
しかし、このような領域部分２１によっても、干潮時において岸沖方向を沖３に向かってされる地下水の移動を十分に制御することができ、それゆえ、干潟全体に亘って地下水の交換を十分に促進しながら保湿性を高める効果を確実に獲得でき、かつ、干潟全体に亘って万遍なく保湿性を高めることができるようになっている。
【００４３】
したがって、この実施の形態２に係る人工干潟によっても、実施の形態１と略同様な効果が得られることになる。
さらに、実施の形態１と実施の形態２とを適宜組み合わせた人工干潟とすることも可能となる。
【００４４】
【発明の効果】
以上のように、本発明に係る人工干潟によれば、自然干潟に近い湿潤環境が得られ、ひいては干潟の生物の生育環境の向上効果が得られる。
【図面の簡単な説明】
【図１】本発明の実施の形態１に係る人工干潟の全体構成を示す斜視図である。
【図２】本発明の実施の形態１に係る人工干潟の部分構成を示す斜視図である。
【図３】本発明の実施の形態２に係る人工干潟の全体構成を示す斜視図である。
【図４】本発明の実施の形態２に係る人工干潟の部分構成を示す斜視図である。
【符号の説明】
１ 高透水性材料
２ 岸
３ 沖
１１ 領域部分
１１ａ 低透水性材料
２１ 領域部分
２１ａ 低透水性材料
３１ 満潮時水位
３２ 干潮時水位
【図１】
0004071977.tif 000002
【図２】
0004071977.tif 000003
【図３】
0004071977.tif 000004
【図４】
0004071977.tif 000005